(57)【要約】      （修正有）【課題】焚き残りの始末等の取扱いがより簡単で、安全性に対しても改善された香立を提供する。【解決手段】香立は、線香１１を支持する線香支持板３０と、前記線香支持板を着脱可能に支持する香皿２０と、を備え、前記線香支持板には線香を挿入するための挿入孔３１が設けられており、前記香皿は底部２２および壁部２１を備えており、前記壁部は前記線香支持板を支持する傾斜面を有する。【選択図】図１
0003148762.tif 000002
【実用新案登録請求の範囲】
【請求項１】
線香を支持する線香支持板と、前記線香支持板を支持可能な香皿と、を備える香立において、
前記線香支持板には線香を挿入するための挿入孔が設けられており、
前記香皿は底部および壁部を備えており、前記壁部は前記線香支持板を支持する傾斜面を有することを特徴とする香立。
【請求項２】
前記香皿の前記底部には、隆起部が設けられていることを特徴とする請求項１に記載の香立。
【請求項３】
前記線香支持板の縁部には略半円形状の切り欠き部が設けられており、前記切り欠き部と前記傾斜面近傍に位置する前記隆起部の傾斜支持面とにより線香を挟持可能であることを特徴とする請求項２に記載の香立。
【考案の詳細な説明】
【技術分野】
【０００１】
本考案は、香を焚く際に使用する香立に関するものである。
【背景技術】
【０００２】
細長い棒状の線香を焚く場合には、従来、陶器、磁器、金属等からなる香皿の平坦な底部に、陶器、磁器、金属等からなる線香支持具を載置し、線香支持具に設けられた挿入孔に線香を差し立て、その一端に点火することが知られている。
【考案の開示】
【考案が解決しようとする課題】
【０００３】
一端に点火された線香は他端に向かって燃焼が進むが、燃焼が挿入孔まで進むと線香支持具に熱を奪われてしまうため、全部は燃焼せずに挿入孔内に焚き残りが残存してしまう。従って、次に別の線香を焚く際にはこの焚き残りを挿入孔内から除去する必要がある。しかしながら、上述した従来の線香の焚き方では、線香支持具の挿入孔に残存する線香の焚き残りを除去するためには線香支持具を香皿の平坦な底部から回収しなくてはならず、香皿の底部に集積された灰や焚き残りにより手が汚れてしまうという不都合があった。
【０００４】
本考案は上記の課題に鑑みてなされたものであり、焚き残りの除去等の取扱いがより簡単で、安全性に対しても改善された香立を提供するものである。
【課題を解決するための手段】
【０００５】
本考案の上記目的は、下記の構成により達成される。
（１）線香を支持する線香支持板と、前記線香支持板を支持可能な香皿と、を備える香立において、前記線香支持板には線香を挿入するための挿入孔が設けられており、前記香皿は底部および壁部を備えており、前記壁部は前記線香支持板を支持する傾斜面を有することを特徴とする香立。
（２）前記香皿の前記底部には、隆起部が設けられていることを特徴とする（１）に記載の香立。
（３）前記線香支持板の縁部には略半円形状の切り欠き部が設けられており、前記切り欠き部と前記傾斜面近傍に位置する前記隆起部の傾斜支持面とにより線香を挟持可能であることを特徴とする（２）に記載の香立。
【考案の効果】
【０００６】
本考案に係る香立によれば、線香が支持される線香支持板が香皿の壁部の傾斜面上に着脱可能に支持されるので、線香支持板を香皿から容易に取り外すことができる。これにより、手を汚さずに線香の焚き残りを除去することができ、取扱いが容易となる。
【０００７】
また、香皿の底部には隆起部が設けられていることにより、香皿の底部に高低差が形成される。これにより、灰や焚き残りを香皿底部の低い箇所に集積することができ、線香を焚く度に灰や焚き残りを香皿から除去する必要がなくなる。
【０００８】
また、線香支持板に設けられた略半円形状の切り欠き部と前記傾斜面近傍に位置する前記隆起部の傾斜支持面とにより線香を挟持可能であることにより、種々の径の線香を焚くことが可能となる。
【考案を実施するための最良の形態】
【０００９】
以下、本考案に係る香立の実施形態を、図面に基づいて詳細に説明する。図１に示すように、本考案の香立１０は、香皿２０と、線香支持板３０と、を備える。香皿２０及び線香支持板３０は、例えば陶器、磁器、金属等の難燃性の材料から形成される。
【００１０】
図１〜３に示すように、香皿２０は、壁部２１及び底部２２を有している。壁部２１は、２枚のアーチ状壁部２１ａ及び２枚の傾斜壁部２１ｂとからなる。傾斜壁部２１ｂは下方に向かって厚さが増大しており、内側には傾斜面２１ｃを有している。底部２２は上側へ湾曲した形状に形成されており、長手方向中心に沿って隆起部２３が形成されている。底部２２に隆起部２３が形成されることにより、隆起部２３の両側には凹部２２ａが形成される。また、隆起部２３は、傾斜壁部２１ｂ側から香皿２１の長手方向中心に向かって傾斜する傾斜支持面２３ａを有する。
【００１１】
図４に示すように、線香支持板３０は薄いプレート状に形成され、線香支持板３０を傾斜壁部２１ｂの傾斜面２１ｃにもたせかけたときに、線香支持板３０の上縁部が傾斜面２１ｃの上方から突出するような寸法に形成されている。線香支持板３０の下方には挿入孔３１が設けられる。この挿入孔３１は一般的な線香の径に対応した寸法に形成される。また、線香支持板３０の下縁部の略中央には半円形状の切り欠き部３２が形成されている。
【００１２】
次に、前記香立１０の使用形態について説明する。
【００１３】
（第１使用形態）
香立１０の第１使用形態を図１に示す。第１使用形態において、線香支持板３０は傾斜壁部２１ｂの傾斜面２１ｃにもたせかけられて支持されている。線香支持板３０の挿入孔３１に挿入された線香１１は、先端が香皿２０の長手方向中央に向かって斜め上方を向くように位置決めされる。
【００１４】
線香１１の先端に点火されると、燃焼により生じる灰は隆起部２３上に落ちる。そして、線香１１が挿入孔３１の近傍まで焚かれると、線香支持板３０により熱が奪われて火が消える。挿入孔３１内には焚き残りが残存するが、この焚き残りは、線香支持板３０を香皿２０から取り外して軽く傾けること等により容易に取り除くことができる。焚き残りは前述した灰と共に香皿２０から除去することができ、または香皿２０の底部２２の凹部２２ａへと集積することができる。
【００１５】
以上説明したように、香立１０の第１使用形態においては、線香１０は線香支持板３０の挿入孔３１に挿入することにより先端が斜め上方を向くように支持されるので、直立させた状態で線香を焚く場合よりも香皿の底部に近い場所で燃焼することとなり、使用者に対し、視覚的な安心感を向上させることができる。
【００１６】
また、線香支持板３０を香皿２０から取り外して傾けることにより、挿入孔３１内に残存する焚き残りを容易に取り除くことができる。線香支持板３０は、傾斜壁部２１ａから突出している上縁部をつまむことにより容易に取り外すことができ、灰や焚き残りにより手を汚すことなく、取扱いが簡単である。また、香皿２０の凹部２２ａに焚き残りや灰を集積することができるので、線香を焚く度に灰や焚き残りを香皿から除去する必要がなくなる。
【００１７】
（第２使用形態）
次に、香立１の第２使用形態の拡大図を図５に示す。第２使用形態においても、線香支持板３０は傾斜壁部２１ｂの傾斜面２１ｃにもたせかけられて支持されているが、線香１１は、線香支持板３０の下縁部に設けられた略半円形状の切り欠き部３２と、香皿２０の底部２２に設けられた隆起部２３の傾斜支持面２３ａとに挟持され、先端が香皿２０の長手方向中央に向かって斜め上方を向くように位置決めされる。
【００１８】
線香１１の先端に点火されると、燃焼により生じる灰は隆起部２３上に落ちる。そして、線香１１が切り欠き部３２の近傍まで焚かれると、線香支持板３０及び傾斜支持面２１ａにより熱が奪われて火が消える。切り欠き部３２と傾斜支持面６ａとの間には線香１０の焚き残りが残存するが、この焚き残りは線香支持板３０を香皿２０から取り外すことにより傾斜支持面２３ａ上に自然に落下し、取り除くことが可能である。焚き残りは前述した灰と共に香皿２０から除去することができ、または香皿２０の底部２２の凹部２２ａへと集積することができる。
【００１９】
以上説明したように、香立１０の第２使用形態においては、線香支持板３０の略半円形状の切り欠き部３２と香皿２０の隆起部２３の傾斜支持面２３ａとにより線香１０を挟持して支持するので、線香支持板の挿入孔の寸法に適合しない径の線香をも焚くことが可能となる。また、線香支持板３０を香皿２０から取り外すことによって、容易に焚き残りを取り除くことができる。
【００２０】
以上に本考案の一実施形態を説明したが、本考案は前記に限定されるものではなく、種々の変形が可能である。例えば、香皿及び線香支持板の外観形状や寸法は前記に限定されるものではなく、種々の形状、大きさに変形可能である。本実施形態において、隆起部２３は底部２２の長手方向中心に沿った形状で形成したが、底部２２の傾斜面２１ｃ近傍に突起形状の隆起部を形成してもよい。
【図面の簡単な説明】
【００２１】
【図１】本考案に係る香立の第１使用形態の斜視図である。
【図２】図１の香皿の平面図である。
【図３】（ａ）は図２のＡ−Ａ´断面図、（ｂ）は図２のＢ−Ｂ´断面図、（ｃ）は図２のＣ−Ｃ´断面図である。
【図４】図１の線香支持板の正面図である。
【図５】本考案に係る香立の第２使用形態の斜視図である。
【符号の説明】
【００２２】
１０    香立
１１    線香
２０    香皿
２１    壁部
２１ａ  傾斜壁部
２１ｂ  アーチ状壁部
２１ｃ  傾斜面
２２    底部
２２ａ  凹部
２３    隆起部
２３ａ  傾斜支持面
３０    線香支持板
３１    挿入孔
３２    切り欠き部
【図１】
0003148762.tif 000003
【図２】
0003148762.tif 000004
【図３】
0003148762.tif 000005
【図４】
0003148762.tif 000006
【図５】
0003148762.tif 000007